(57)【要約】【課題】ゴルフクラブヘッドに対して装飾体を安定して固定すること。【解決手段】装飾体が固定されたゴルフクラブヘッドであって、前記装飾体が、カップ状の金属製殻部材と、前記ゴルフクラブヘッドに対する取付面を有し、前記殻部材の内部を埋める固形の弾性体と、前記殻部材の内面と前記弾性体とを接着した接着層と、を備える。【選択図】図４
2013119009.tif 000002
【特許請求の範囲】
【請求項１】
装飾体が固定されたゴルフクラブヘッドであって、
前記装飾体が、
カップ状の金属製殻部材と、
前記ゴルフクラブヘッドに対する取付面を有し、前記殻部材の内部を埋める固形の弾性体と、
前記殻部材の内面と前記弾性体とを接着した接着層と、
を備えたゴルフクラブヘッド。
【請求項２】
前記殻部材が、電鋳製である請求項１に記載のゴルフクラブヘッド。
【請求項３】
前記弾性体が、金属材料を混入した樹脂である請求項１に記載のゴルフクラブヘッド。
【請求項４】
前記殻部材及び前記弾性体が、それぞれ、ボルトが挿通する孔を有し、
前記装飾体は、前記ボルトによって前記ゴルフクラブヘッドに固定される請求項１に記載のゴルフクラブヘッド。
【請求項５】
前記弾性体が、前記殻部材の内面から離間した隙間部を有し、前記接着層は前記隙間部に充填された接着剤により形成された部分を含む請求項１に記載のゴルフクラブヘッド。
【請求項６】
ゴルフクラブヘッドに固定される装飾体であって、
カップ状の金属製殻部材と、
前記ゴルフクラブヘッドに対する取付面を有し、前記殻部材の内部を埋める固形の弾性体と、
前記殻部材の内面と前記弾性体とを接着した接着層と、
を備えた装飾体。
【発明の詳細な説明】
【技術分野】
【０００１】
本発明はゴルフクラブヘッドの装飾体に関する。
【背景技術】
【０００２】
文字、図形等を施した装飾体が固定されたゴルフクラブヘッドが知られている（例えば特許文献１及び２）。このような装飾体はゴルフクラブヘッドの意匠性を向上することができる。特に、装飾体を金属製の立体的な形状とすることで、更なる意匠性の向上が見込める。
【先行技術文献】
【特許文献】
【０００３】
【特許文献１】特表平６−５１０６８９号公報
【特許文献２】特開２０００−２９３１２４号公報
【発明の概要】
【発明が解決しようとする課題】
【０００４】
装飾体を金属製の中実体とすると重量が重くなってしまい、ゴルフクラブヘッドのバランスに大きな影響を与える場合がある。そこで、装飾体の表層のみを金属製の殻部材とすることで、その軽量化が図れる。しかし、殻部材のみではゴルフクラブヘッドへの固着が不安定となる。そこで、殻部材の内部に液状の樹脂を充填して硬化させることで、殻部材の内部を埋めることが考えられる。しかし、液状の樹脂は硬化によって、ひけを生じる場合がある。そうすると、ゴルフクラブヘッドに装飾体を固定する際、ゴルフクラブヘッドの表面に装飾体がフィットせずに固定が不安定となる場合がある。
【０００５】
本発明の目的は、ゴルフクラブヘッドに対して装飾体を安定して固定することにある。
【課題を解決するための手段】
【０００６】
本発明によれば、装飾体が固定されたゴルフクラブヘッドであって、前記装飾体が、カップ状の金属製殻部材と、前記ゴルフクラブヘッドに対する取付面を有し、前記殻部材の内部を埋める固形の弾性体と、前記殻部材の内面と前記弾性体とを接着した接着層と、を備えたゴルフクラブヘッドが提供される。
【０００７】
また、本発明によれば、ゴルフクラブヘッドに固定される装飾体であって、カップ状の金属製殻部材と、前記ゴルフクラブヘッドに対する取付面を有し、前記殻部材の内部を埋める固形の弾性体と、前記殻部材の内面と前記弾性体とを接着した接着層と、を備えた装飾体が提供される。
【発明の効果】
【０００８】
本発明によれば、ゴルフクラブヘッドに対して装飾体を安定して固定することができる。
【図面の簡単な説明】
【０００９】
【図１】本発明の一実施形態のゴルフクラブヘッドの斜視図。
【図２】上記ゴルフクラブヘッドの別方向から見た斜視図。
【図３】装飾体の分解斜視図。
【図４】（Ａ）は図３の線Ｉ−Ｉに沿う殻部材の切断面端面図、（Ｂ）は図３の線Ｉ−Ｉに沿う弾性体の切断面端面図、（Ｃ）は図３の線Ｉ−Ｉに相当する切断面での装飾体２０の断面図。
【発明を実施するための形態】
【００１０】
図１及び図２は本発明の一実施形態のゴルフクラブヘッド１０の斜視図であり、図１はその上方から見た斜視図、図２はその下方から見た斜視図である。
【００１１】
ゴルフクラブヘッド１０は中空体をなしており、その周壁がフェース部１１、クラウン部１２、ソール部１３及びサイド部１４を構成している。フェース部１１はフェース面（打撃面）を形成する。クラウン部１２は、ゴルフクラブヘッド１０の上部を形成する。ソール部１３はゴルフクラブヘッド１０の底部を形成する。サイド部１４はゴルフクラブヘッド１０の側部を形成する。サイド部１４はトウ側、バック側、ヒール側の各部を有している。また、ゴルフクラブヘッド１０はシャフトが取付けられるホゼル部１５を備える。
【００１２】
ゴルフクラブヘッド１０はドライバ用のゴルフクラブヘッドであるが、本発明はドライバ以外のフェアウェーウッド等も含むウッド型のゴルフクラブヘッド、ユーティリティ型（ハイブリッド型）のゴルフクラブヘッド、アイアン型のゴルフクラブヘッド、パター等、各種のゴルフクラブヘッドに適用可能である。
【００１３】
ゴルフクラブヘッド１０は、金属材料から作成することができ、そのような金属材料としては、チタン系金属（例えば、６Ａｌ−４Ｖ−Ｔｉのチタン合金等）、ステンレス、ベリリウムカッパー等の銅合金が挙げられる。
【００１４】
図２に示すように、ゴルフクラブヘッド１０には装飾体２０が固定されている。本実施形態の場合、装飾体２０はサイド部１４のヒール側に固定されているが、固定部位はこれに限られず、例えば、クラウン部１２、ソール部１３等でもよい。本実施形態の場合、装飾体２０はボルト２４によってゴルフクラブヘッド１０に分離可能に固定されている。しかし、固定方法はこれに限られず、接着や粘着でもよい。
【００１５】
図３は装飾体２０の分解斜視図である。装飾体２０は殻部材２１、弾性体２２とを接着して構成されている。図４（Ａ）は図３の線Ｉ−Ｉに沿う殻部材２１の切断面端面図、図４（Ｂ）は図３の線Ｉ−Ｉに沿う弾性体２１の切断面端面図、図４（Ｃ）は図３の線Ｉ−Ｉに相当する切断面での装飾体２０の断面図である。
【００１６】
殻部材２１は、ゴルフクラブヘッド１０への取付側が開口したカップ状をなしており、金属製である。金属製とすることで、耐摩耗性や質感を向上できる。殻部材２１を構成する金属としては、クロム鍍金、ステンレス、アルミ合金等等が挙げられる。また、その成型方法としては、各種の成型方法が採用できるが、凹凸がシャープに形成できる点で電鋳（電気鋳造）であることが好ましく、その場合、殻部材２１を構成する金属としては、クロムやクロム合金が好ましい。
【００１７】
本実施形態の場合、殻部材２１の外面２１ａには、複数の線状の溝２１ａ’が形成されており、ゴルフクラブヘッド１０の意匠性を向上している。殻部材２１の外面２１ａには、このような図形による意匠の他、文字、色による意匠を施すことができ、意匠は外面２１ａに印刷されたものであってもよい。
【００１８】
殻部材２１の外面２１ａの中央部には円形の凹部２１１が形成されており、凹部２１１の中心には、ボルト２４が挿通する貫通孔２１２が形成されている。凹部２１１はボルト２４の頭部を少なくとも部分的に収容する。
【００１９】
弾性体２２は殻部材２１の内部を埋める固形物であり、例えば、事前に形状が成型された樹脂のブロックである。弾性体２２の材料としては、ゴム、樹脂等が挙げられる。弾性体２２は、金属材料を混入した樹脂であってもよい。金属材料は、例えば、タングステン、マグネシウム、制振材等であり粉状又は小片として混入することができる。金属材料を混入することで、装飾体２０をゴルフクラブヘッド１０の重心位置調整用の錘としても、利用できる。
【００２０】
弾性体２２は、接着面２２ａと、ゴルフクラブヘッド１０に対する取付面２２ｂと、を有する。
【００２１】
接着面２２ａは接着層２３によって殻部材２１の内面２１ｂに接着される部分であり、内面２１ｂの形状に概ね習った外形を有する。本実施形態の場合、接着層２２を接着面２２ａの全域に渡って形成するため、接着面２２ａの外形は、殻部材２１の内面２１ｂの形状よりも、僅かに小さくされている。
【００２２】
更に接着面２２ａのうち、溝２１ａ’が形成されている殻部材２１の表面の背後に位置する部分については、僅かに凹んだ離間部２２０が形成されている。離間部２２０は、接着面２２ａの残りの部分よりも、殻部材２１の内面２１ｂから、より大きく離間している。この離間部２２０においては、接着層２２をより厚くすることができる。
【００２３】
離間部２２０の中央部には円形の凹部２２１が形成されており、その中心にはボルト２４が挿通する貫通孔２２２が形成されている。凹部２２１は、殻部材２１の凹部２１１の一部を収容する。
【００２４】
取付面２２ｂは本実施形態の場合、ゴルフクラブヘッド１０の外形に概ね習った外形を有する。本実施形態の場合、装飾体２０のゴルフクラブヘッド１０への固定方法が、ボルト２４による締結であるため、取付面２２ｂはゴルフクラブヘッド１０の表面に接触（特に圧接）することになる。固定方法として、接着や粘着を選択した場合は、取付面２２ｂと、ゴルフクラブヘッド１０の表面との間には接着剤又は粘着剤が介在することになる。粘着剤としては両面テープ等が挙げられる。
【００２５】
接着層２３は、殻部材２１の内面２１ｂと弾性体２２の接着面２２ａとを接着する。接着層２３は、例えば、液状の接着剤を、殻部材２１の内面２１ｂと弾性体２２の接着面２２ａとの間に流し込み、硬化させることで形成される。接着層２３を形成する接着剤としては、合成系接着剤が好ましく、例えば、エポキシ樹脂系接着剤、アクリル系接着剤等が好ましい。特に、硬化後の硬度が、弾性体２２よりも硬いものを使用することによって、殻部材２１を補強することができ、特に、離間部２２０に形成される接着層２３によって、溝２１ａ’が形成されている殻部材２１の表面部分を補強できる。
【００２６】
装飾体２０は、殻部材２１と弾性体２２とを接着した後、孔２１２、２２２にボルト２４を挿通し、ゴルフクラブヘッド１０に設けたネジ孔１４ａ（図３）にボルト２４を締結することでゴルフクラブヘッド１０に固定される。
【００２７】
本実施形態では、殻部材２１の内部を固形の弾性体２２で埋め、弾性体２２で取付面２２ｂを形成したので、ゴルフクラブヘッド１０にフィットする取付面２２ｂを形成することができ、装飾体２０を安定してゴルフクラブヘッド１０に固定できる。殻部材２１と弾性体２２とは接着層２３で接着されるので、両者の密着性を向上することができる。これは殻部材２１と弾性体２２とを互いにしっかりと固定することに寄与する。
【００２８】
また、弾性体２２で取付面２２ｂを形成し、装飾体２０のゴルフクラブヘッド１０に対する固定をボルト２４による締結としたので、弾性体２２による弾性変形によってゴルフクラブヘッド１０に対して装飾体２０を、よりフィットさせて固定できる。また、デザインや重さの異なる装飾体２０を複数種類用意し、ユーザが選択することができるようにすることもできる。
【図１】
2013119009.tif 000003
【図２】
2013119009.tif 000004
【図３】
2013119009.tif 000005
【図４】
2013119009.tif 000006